(57)【要約】      （修正有）【課題】一体型で屋外でも運んで設置できる、非接触の赤外線型体温計を提供する。【解決手段】扁平な直方体形状の機器筐体１１の下部の背面中央部に背方に伸びるように連結・支持部材を連設し、機器筐体の前面側に、四角い平板状のカメラ付き表示器１４を取りつけ、カメラ付き表示器の上端面の中央部にキューブ状の赤外線サーモカメラ１５を固定し、連結・支持部材の後部上面に垂立状態で、筒状の湿度センサと温度センサとを上下一体に連接した構造の環境指標センシング部材を固定し、連結・支持部材の底面側後端部に、筒状の所定長の支柱２５の上端部を連結し、カメラ付き表示器の前面中央部に長方形のスクリーン部１６を設け、スクリーン部の上側に距離センサー１７とカメラレンズ１８とを横並びに設置した。【選択図】図１
0003231551.tif 000002
【実用新案登録請求の範囲】
【請求項１】
扁平な直方体形状の機器筐体の下部の背面中央部に背方に伸びるように連結・支持部材を連設し、
前記機器筐体の前面側に、四角い平板状のカメラ付き表示器を取りつけ、
前記カメラ付き表示器の上端面の中央部にキューブ状の赤外線サーモカメラを固定し、
前記連結・支持部材の後部上面に垂立状態で、筒状の湿度センサと温度センサとを上下一体に連接した構造の環境指標センシング部材を固定し、
前記連結・支持部材の底面側後端部に、筒状の所定長の支柱の上端部を連結し、
前記カメラ付き表示器の前面中央部に長方形のスクリーン部を設け、かつ、前記スクリーン部の上側に距離センサーとカメラレンズとを横並びに設置したことを特徴とする赤外線型体温計。
【請求項２】
前記スクリーン部には、前記カメラレンズで撮影した人物の顔画像を、前記計測体温の数値と共に表示することを特徴とする請求項１に記載の赤外線型体温計。
【請求項３】
前記支柱、連結・支持部材及び機器筐体内に電気配線を通し、前記支柱の下端から外部に引き出すようにしたことを特徴とする請求項１又は２に記載の赤外線型体温計。
【請求項４】
前記連結・支持部材の底面側後端部と筒状の所定長の支柱の上端部との連結には、チルト機構を設けたことを特徴とする請求項１〜３のいずれかに記載の赤外線型体温計。
【考案の詳細な説明】
【技術分野】
【０００１】
本考案は、赤外線型体温計に関する。
【背景技術】
【０００２】
従来から、赤外線型体温計は非接触型体温計として広く知られ、用いられるようになっている。この赤外線型体温計は、非接触で体温測定できることと共にほぼ即時に測定できることが便利であるため、ＣＯＶＩＤ−１９の蔓延する中で多数の来院者、来訪者あるいは来場者の体温測定を短時間に実施する必要がある病院、イベント会場、企業等の受付で重宝されている。
【０００３】
ところが、従来、赤外線型体温計とその測定値を表示するスクリーンとを一体型にした可搬型の赤外線体温計で、卓上とか地中に打ち込んだポールの上に設置するといった多様な設置場所に運んで簡単に設置できる赤外線型体温計は知られていない。
【先行技術文献】
【特許文献】
【０００４】
【特許文献１】実用新案登録第３２２８８９７号公報
【特許文献２】特開２０１１−１７９９８６号公報
【特許文献３】特開２０１３−１６３０３６号公報
【特許文献４】特開２０１４−１３５９９３号公報
【考案の概要】
【考案が解決しようとする課題】
【０００５】
本考案は、このような従来の技術的課題に鑑みてなされたもので、卓上とか地中に打ち込んだポールの上に設置するといった多様な設置場所に運んで簡単に設置して利用できる赤外線型体温計を提供することを目的とする。
【課題を解決するための手段】
【０００６】
本考案は、少なくとも計測体温の数字を表示する方形のスクリーンを前面に備えている直方体のディスプレイと、前記ディスプレイの上面中央に設置された赤外線カメラと、前記ディスプレイと赤外線カメラとを前部にて支持する支持部材と、前記支持部材の後部上面に設置された、筒状の湿度センサと温度センサとが上下に一体になった筒状センサ部材と、前記支持部材の底面側に接続された筒状若しくは棒状の支柱とを備えて成る赤外線型体温測定装置を特徴とする。
【０００７】
上記考案では、前記ディスプレイにおける前記スクリーンの上部の位置に組み込まれたデジタルカメラを備えたものとすることができる。
【０００８】
また上記考案では、前記スクリーンには、前記デジタルカメラの撮影した人物の顔画像を、前記計測体温の数値と共に表示するものとすることができる。
【考案の効果】
【０００９】
本考案によれば、棒状の支柱を卓上に固定した別部材の支持台やは地中に打ち込んだ太い支柱の上部の支持台に固定することで必要な場所に容易に設置し、また設置場所を変えて任意の場所に設置し、多数の人の体温を非接触で測定するのに供することができる。
【図面の簡単な説明】
【００１０】
【図１】本考案の１つの実施の形態の赤外線型体温計の前方から見た斜視図。
【図２】上記実施の形態の赤外線型体温計の後方から見た斜視図。
【図３】上記実施の形態の赤外線型体温計の正面図。
【図４】上記実施の形態の赤外線型体温計の側面図。
【図５】上記実施の形態の赤外線型体温計の背面図。
【図６】上記実施の形態の赤外線型体温計の使用状態の正面図。
【図７】上記実施の形態の赤外線型体温計の使用状態の背面図。
【図８】上記実施の形態の赤外線型体温計の機能構成を示すブロック図。
【考案を実施するための形態】
【００１１】
以下、本考案の実施の形態を図に基づいて詳説する。
【００１２】
図１−図５に示すように、本実施の形態の赤外線型体温計１では、扁平な機器筐体１１の下部の背面中央部に背方に伸びるように連結・支持部材１２を連設した構造のベース基体１３に対して、その機器筐体１１の前面側にカメラ付き表示器１４を取りつけ、さらにカメラ付き表示器１４の上端面の中央にキューブ状の赤外線サーモカメラ１５を固定している。
【００１３】
また赤外線型体温計１では、連結・支持部材１２の後部上面に、筒状の湿度センサ２１と温度センサ２２とを上下一体に連接した環境指標センシング部材２３を固定アングル２４を用いて垂立状態に固定している。さらに連結・支持部材１２の底面側に、筒状の支柱２５の上端部を所定の角度だけチルト調整できる形で連結している。
【００１４】
さらに赤外線型体温計１のカメラ付き表示器１４は、諸情報を表示する長方形のスクリーン部１６、そしてこのスクリーン部１６の上側に距離センサー１７とカメラレンズ１８を横並びに配置した構造である。スクリーン部１６の下四分の位の面積部分は情報表示エリア１９とし、ここに顔認証した人物名等の属性と測定温度を表示するようにしている。
【００１５】
本実施の形態の赤外線型体温計１では、図示していない電気配線は支柱２５、連結・支持部材１２を通して箱体状の支持筐体１１に引き込まれ、その中の諸電子機器への電力供給と信号伝達を行い、またカメラ付き表示器１４、赤外線サーモカメラ１５、環境指標センシング部材２３にも電力供給と信号伝達を行う。
【００１６】
図６及び図７に示すように、上記構造の赤外線型体温計１はその支柱２５を設置場所の固定部材、例えば卓上や地上に立てた支持台３１上に、支柱２５の下端の固定ねじ部２６を利用してネジ止めして自立させる。同時に支柱２５の内部に電気配線を通して外部の回路、コンピュータ、電源と接続して実稼働させる。
【００１７】
次に、本考案の赤外線型体温計１の動作について説明する。図８のブロック図に示すように、赤外線サーモカメラ１５は６枚レンズ構成であり、測定対象者１００の額部分１０１から出る赤外線を受光し、機器筐体１１内に収容されている処理回路チップ５１にて演算処理し、体温を算出し、スクリーン部１６の情報表示エリア１９に数値表示する。赤外線温度測定処理では、環境が影響するので、環境指標センシング部材２３の湿度センサ２１と温度センサ２２との測定値を利用し、赤外線サーモカメラ１５の測定する温度値を補正して、正確な体温を割り出して情報表示エリア１９に表示する。
【００１８】
カメラ付き表示器１４のカメラレンズ１８は測定対象者１００の顔画を撮影して処理回路チップ５１に入力し、ここでデジタル映像化して顔画像１１０を生成し、スクリーン部１６に表示させる。スクリーン部１６の上側に距離センサー１７は測定対象者１００の顔部分までの距離を検出し、処理回路チップ５１に入力する。処理回路チップ５１は測定対象者１００までの測距距離を利用して赤外線サーモカメラ１５の焦点調整を行い、またカメラレンズ１８の焦点調整も行い、顔画像１１０を鮮鋭化してスクリーン部１６に表示する。また処理回路チップ５１は、カメラレンズ１８の撮影画像から顔画像１１０の特徴を抽出し、似た顔画像の人物を特定し、その人物の属性、例えば姓名、所属、年齢、男女別等の特定情報を割り出して、情報表示エリア１９に表示する。
【００１９】
以上のように、本実施の形態の赤外線型体温計１によれば、これを卓上、支持ポール上等に固定して使用することにより、環境指標も取り込んで正確な体温測定が非接触で行える。
【符号の説明】
【００２０】
１  赤外線型体温計
１１  機器筐体
１２  連結・支持部材
１３  ベース基体
１４  カメラ付き表示器
１５  赤外線サーモカメラ
１６  スクリーン部
１７  距離センサ
１８  カメラレンズ
１９  情報表示エリア
２１  湿度センサ
２２  温度センサ
２３  環境指標センシング部材
２４  アングル
２５  支柱
２６  固定ねじ部
３１  支持台
５１  処理回路チップ
【図１】
0003231551.tif 000003
【図２】
0003231551.tif 000004
【図３】
0003231551.tif 000005
【図４】
0003231551.tif 000006
【図５】
0003231551.tif 000007
【図６】
0003231551.tif 000008
【図７】
0003231551.tif 000009
【図８】
0003231551.tif 000010
【手続補正書】
【提出日】令和3年2月4日(2021.2.4)
【手続補正１】
【補正対象書類名】実用新案登録請求の範囲
【補正対象項目名】全文
【補正方法】変更
【補正の内容】
【実用新案登録請求の範囲】
【請求項１】
扁平な直方体形状の機器筐体の下部の背面中央部に背方に伸びるように連結・支持部材を連設し、
前記機器筐体の前面側に、四角い平板状のカメラ付き表示器を取りつけ、
前記カメラ付き表示器の上端面の中央部にキューブ状の赤外線サーモカメラを固定し、
前記連結・支持部材の後部上面に垂立状態で、筒状の湿度センサと温度センサとを上下一体に連接した構造の環境指標センシング部材を固定し、
前記連結・支持部材の底面側後端部に、筒状の所定長の支柱の上端部を連結し、
カメラ付き表示器の前面中央部に長方形のスクリーン部を設け、かつ、前記スクリーン部の上側に距離センサーとカメラレンズとを横並びに設置したことを特徴とする赤外線型体温計。
【請求項２】
前記スクリーン部には、前記カメラレンズで撮影した人物の顔画像を、前記赤外線サーモカメラによる計測体温の数値と共に表示することを特徴とする請求項１に記載の赤外線型体温計。
【請求項３】
前記支柱、連結・支持部材及び機器筐体内に電気配線を通し、前記支柱の下端から外部に引き出すようにしたことを特徴とする請求項１又は２に記載の赤外線型体温計。
【請求項４】
前記連結・支持部材の底面側後端部と筒状の所定長の支柱の上端部との連結には、チルト機構を設けたことを特徴とする請求項１〜３のいずれかに記載の赤外線型体温計。